(57)【要約】【課題】メンテナンス性に優れた燃焼装置を提供する。【解決手段】燃焼装置は、ファン４と、バーナ３と、第１および第２ファン固定板５０，４０とを備えている。ファン４は、送風口６０から空気を供給し、送風口６０の周囲にフランジ部４５を有している。バーナ３は、送風口６０から空気を受け入れる。第１および第２ファン固定板５０，４０は、互いに送風口６０を挟むように配置され、フランジ部４５をバーナ３に当接させるように押圧してファン４をバーナ３に固定する。第１ファン固定板５０は孔部を有し、かつファン４は突起部を有している。突起部は孔部に挿入されている。【選択図】図３
2015183879.tif 000002
【特許請求の範囲】
【請求項１】
送風口から空気を供給し、前記送風口の周囲に取付部を有する送風部と、
前記送風口から前記空気を受け入れる燃焼部と、
互いに前記送風口を挟むように配置され、前記取付部を前記燃焼部に当接させるように押圧して前記送風部を前記燃焼部に固定する第１および第２の固定部とを備え、
前記第１および第２の固定部のうち少なくともいずれかは凹部および凸部の一方の係合部を有し、かつ前記送風部は前記凹部および前記凸部の他方の係合部を有し、
前記一方の係合部は前記他方の係合部に嵌合している、燃焼装置。
【請求項２】
前記取付部は、
前記燃焼部と当接する当接部と、
前記当接部から突出するように形成された前記凸部である突起部とを含み、
前記第１および第２の固定部のうち少なくともいずれかは、前記突起部が挿入可能な前記凹部である孔部を含む、請求項１に記載の燃焼装置。
【請求項３】
前記突起部は、前記当接部から離れるに従い幅が小さくなるように形成され、
前記孔部は、前記突起部が挿入される方向から見て円形状を有する、請求項２に記載の燃焼装置。
【請求項４】
前記突起部は、前記当接部に対して斜め起立している、請求項２または３に記載の燃焼装置。
【請求項５】
前記燃焼部は、前記送風部が固定される第１の面と、前記第１の面に交差する第２の面とを含み、
前記第１の固定部は、前記第１の面に固定され、
前記第２の固定部は、前記第２の面に固定される、請求項１〜４のいずれか１項に記載の燃焼装置。
【請求項６】
前記取付部は、前記送風口から離れる方向に延びるフランジ部である、請求項１〜５のいずれか１項に記載の燃焼装置。
【発明の詳細な説明】
【技術分野】
【０００１】
本発明は燃焼装置に関し、より特定的には、メンテナンス性に優れた燃焼装置に関する。
【背景技術】
【０００２】
燃焼装置の例として、たとえば特開平１−３１０２６５号公報（特許文献１）には、バーナが内部に配置された燃焼ガス集合箱の側面に送風機（ファン）が固定された構造を有するものが開示されている。また、この種の燃焼装置におけるバーナへのファンの取り付けは、ファンの固定用のフランジの一方の端部を固定板とバーナとの間に挿入して固定し、他方の端部をネジによりバーナのケースに直接固定することにより行われる。そして、メンテナンス時には、上記他方の端部を固定するネジを取り外すことでファンをバーナのケースから取り外すことができる。
【先行技術文献】
【特許文献】
【０００３】
【特許文献１】特開平１−３１０２６５号公報
【発明の概要】
【発明が解決しようとする課題】
【０００４】
従来の燃焼装置では、設置場所や複雑な内部構造のためにファンを取り外す方向が限定される。このため、メンテナンス方向が限定されるという問題がある。そのため、よりメンテナンス性に優れた構造が必要とされる。そこで、本発明はメンテナンス性に優れた燃焼装置を提供することを目的とする。
【課題を解決するための手段】
【０００５】
本発明に従った燃焼装置は、送風部と、燃焼部と、第１および第２の固定部とを備えている。送風部は、送風口から空気を供給し、当該送風口の周囲に取付部を有している。燃焼部は、送風口から空気を受け入れる。第１および第２の固定部は、互いに送風口を挟むように配置され、取付部を燃焼部に当接させるように押圧して送風部を燃焼部に固定する。第１および第２の固定部のうち少なくともいずれかは凹部および凸部の一方の係合部を有し、かつ送風部は上記凹部および上記凸部の他方の係合部を有している。上記一方の係合部は上記他方の係合部に嵌合している。
【０００６】
上記燃焼装置では、第１および第２の固定部が取付部を燃焼部に当接させるように押圧することで送風部が燃焼部に固定される。そのため、ネジなどの連結部材を介して送風部が燃焼部に対して直接固定される場合と異なり、第１および第２の固定部のいずれかを取り外すことで送風部を燃焼部から取り外すことができる。また、第１および第２の固定部は互いに送風口を挟む位置に配置されているため、送風口を挟んだいずれの側からも送風部を燃焼部から取り外すことができる。このため、メンテナンス方向の自由度をより広げることができる。また、上記一方の係合部と上記他方の係合部との嵌合により、送風部を燃焼部に対してより確実に位置決めすることができる。したがって、上記燃焼装置によればメンテナンス性に優れた燃焼装置を提供することができる。
【０００７】
上記燃焼装置において好ましくは、取付部は、燃焼部と当接する当接部と、当接部から突出するように形成された上記凸部である突起部とを含んでいる。上記第１および第２の固定部のうち少なくともいずれかは、突起部が挿入可能な上記凹部である孔部を含んでいる。これにより、送風部を燃焼部に対してさらに確実に位置決めすることができる。
【０００８】
上記燃焼装置において好ましくは、突起部は、当接部から離れるに従い幅が小さくなるように形成されている。また、孔部は突起部が挿入される方向から見て円形状を有している。これにより、送風部を燃焼部に対して一層確実に位置決めすることができる。
【０００９】
上記燃焼装置において好ましくは、突起部は当接部に対して斜め起立している。これにより、突起部を孔部に対して容易に挿入することができる。
【００１０】
上記燃焼装置において好ましくは、燃焼部は、送風部が固定される第１の面と、上記第１の面に交差する第２の面とを含んでいる。第１の固定部は、上記第１の面に固定されている。第２の固定部は、上記第２の面に固定されている。これにより、互いに交差する方向より燃焼部からの送風部の取り外し作業を行うことができる。そのため、メンテナンス時に燃焼部からの送風部の取り外し作業を行う方向の自由度をより広げることができる。そのため、さらにメンテナンス性に優れた燃焼装置を提供することができる。
【００１１】
上記燃焼装置において好ましくは、取付部は、送風口から離れる方向に延びるフランジ部である。これにより、燃焼部に対して送風部をより容易に取り付けることができる。
【発明の効果】
【００１２】
本発明によれば、メンテナンス性に優れた燃焼装置を提供することができる。
【図面の簡単な説明】
【００１３】
【図１】本発明の一実施の形態に係る燃焼装置の構成を示す概略図である。
【図２】本発明の一実施の形態に係る燃焼装置における燃焼部への送風部の取付構造を示す概略斜視図である。
【図３】本発明の一実施の形態に係る燃焼装置における燃焼部への送風部の取付構造を示す他の概略斜視図である。
【図４】本発明の一実施の形態に係る燃焼装置における燃焼部への送風部の取付構造を示す概略平面図である。
【図５】図２中の線分Ｖ−Ｖに沿った断面構造を示す概略図である。
【図６】本発明の一実施の形態に係る燃焼装置における燃焼部への送風部の取付構造を説明するための概略拡大図である。
【図７】図６中の送風部の取付部に固定部が取り付けられた状態を示す概略拡大図である。
【図８】本発明の一実施の形態に係る燃焼装置における送風部の取付部の構造を示す概略平面図である。
【図９】図８中の線分ＩＸ−ＩＸに沿った断面構造を示す概略図である。
【発明を実施するための形態】
【００１４】
以下、図面に基づいて本発明の実施の形態を説明する。まず、本実施の形態に係る燃焼装置の全体構成について、図１を参照しつつ説明する。
【００１５】
図１を参照して、本実施の形態に係る燃焼装置１は、液体燃料を燃焼可能な燃焼装置である。燃焼装置１は、筺体２と、燃焼部としてのバーナ３と、送風部としてのファン４と、一次熱交換器５と、二次熱交換器６と、排気集合筒７と、消音器８と、中和器９と、配管１０と、給水配管１１と、入水口１１ａと、給湯配管１２と、出湯口１２ａと、トレー１３と、ポンプ１６とを主に有している。
【００１６】
筺体２は、バーナ３、ファン４、一次熱交換器５、二次熱交換器６、排気集合筒７、消音器８、中和器９、配管１０、給水配管１１、給湯配管１２、トレー１３およびポンプ１６を内部に収容可能に構成されている。筺体２の前面には排気口ＥＰが設けられている。排気口ＥＰは一次熱交換器５によって顕熱が回収され、二次熱交換器６によって潜熱が回収された燃焼ガスを筺体２の外部に排気可能に構成されている。また、筺体２の側面には給水のための入水口１１ａと給湯のための出湯口１２ａとが設けられている。
【００１７】
バーナ３は、ファン４から空気が供給され、熱交換のための燃焼ガスを発生させて当該燃焼ガスを一次熱交換器５および二次熱交換器６に供給するためのものである。
【００１８】
ファン４は、バーナ３に対して燃焼に必要な空気を供給するためのものである。ファン４は、バーナ３の上方から燃焼用空気を下向きに供給可能に構成されている。
【００１９】
一次熱交換器５は顕熱回収型の熱交換器である。高温の燃焼ガスとの熱交換によって一次熱交換器５内の湯水が加熱される。二次熱交換器６は潜熱回収型の熱交換器である。一次熱交換器５で熱交換した後の燃焼ガスが二次熱交換器６へ通されることで二次熱交換器６内の水が予熱される。この過程で燃焼ガスの温度が６０℃程度まで下がることで、燃焼ガス中に含まれる水分が凝縮して潜熱を得ることができる。
【００２０】
一次熱交換器５の一方端と二次熱交換器６の一方端とは互いに配管１０によって接続されている。二次熱交換器６の他方端には給水配管１１が接続されており、一次熱交換器５の他方端には給湯配管１２が接続されている。一次熱交換器５は二次熱交換器６よりもバーナ３の近くに配置されている。
【００２１】
排気集合筒７および消音器８は一連に繋がった燃焼ガス流路を構成している。排気集合筒７は一次熱交換器５および二次熱交換器６の下流側に位置している。消音器８は排気集合筒７の下流側に位置している。図１中矢印で示すように、バーナ３で発生した燃焼ガスは、一次熱交換器５および二次熱交換器６の周囲を通過して一次熱交換器５および二次熱交換器６内の水と熱交換した後、排気集合筒７を通って消音器８に送られ、排気口ＥＰから筺体２外に排出される。
【００２２】
上記のとおり二次熱交換器６において燃焼ガスの水蒸気を凝縮させる構造上、凝縮した水（ドレン）が発生するためドレンの排水が必要である。二次熱交換器６の下側に中和器９が配置されており、二次熱交換器６から中和器９にドレンが排水される。燃焼ガス中には窒素酸化物などが含まれるため、これがドレンに溶け込んでドレンは酸性となる。中和器９はこの酸性のドレンを中和するためのものである。中和器９内には酸性のドレンを中和するための中和剤が充填されている。中和器９で中和されたドレンは図示しない排水路を通って筺体２外に排出される。
【００２３】
入水口１１ａは給水配管１１に接続されており給水配管１１を経由して一次熱交換器５および二次熱交換器６に水を給水可能に構成されている。出湯口１２ａは給湯配管１２に接続されており一次熱交換器５および二次熱交換器６で温められた温水を給湯可能に構成されている。これにより、入水口１１ａから給水された水は、一次熱交換器５および二次熱交換器６を通過する際に燃焼ガスによって加熱されて出湯口１２ａから給湯される。
【００２４】
トレー１３は、上面にポンプ１６を載置可能に構成されている。ポンプ１６はバーナ３に液体燃料を供給するためのものである。ポンプ１６は、燃料タンクに貯留された灯油などの液体燃料を配管を経由してバーナ３に供給可能に構成されている。
【００２５】
次に、バーナ３へのファン４の取付構造について、図２〜図５を参照しつつ説明する。ファン４は、送風口６０よりバーナ３に対して空気を供給する。ファン４の送風口６０の周囲には、取付部としてのフランジ部４５が設けられている。フランジ部４５は、送風口６０から離れる方向に延びるように形成されている。ファン４は、フランジ部４５においてバーナ３に固定されている。
【００２６】
図２および図３を参照して、燃焼装置１は、ファン４をバーナ３に固定するための第１ファン固定板５０（第１の固定部）および第２ファン固定板４０（第２の固定部）をさらに有している。図２を参照して、第２ファン固定板４０は、押圧片４１と固定片４２とを含み、押圧片４１と固定片４２との接続部において屈曲した構造を有している。固定片４２には複数の（図２では２つの）ネジ穴が設けられており、当該固定片４２はネジ４３によりバーナ３の側面３１ｂ上に固定されている。すなわち、第２ファン固定板４０は、バーナ３において上面３１ａ（第１の面）に交差する側面３１ｂ（第２の面）上に固定されている。これにより、押圧片４１がバーナ３との間にフランジ部４５を挟み込み、フランジ部４５が押圧片４１によりバーナ３に当接するように押圧されることで、ファン４がバーナ３に固定されている。なお、図２では説明の便宜上、フランジ部４５から第２ファン固定板４０が取り外された分解状態が示されている。
【００２７】
図３を参照して、第１ファン固定板５０は、押圧片５１と固定片５２とを含み、当該押圧片５１と固定片５２との接続部において屈曲した構造を有している。固定片５２には複数の（図３では２つの）ネジ穴が設けられており、当該固定片５２はネジ５３によりバーナ３の上面３１ａに固定されている。すなわち、第１ファン固定板５０は、バーナ３においてファン４が固定される上面３１ａに固定されている。これにより、押圧片５１がバーナ３との間にフランジ部４５を挟み込み、フランジ部４５が押圧片５１によりバーナ３に当接するように押圧されることで、ファン４がバーナ３に固定されている。なお、図３では図２と同様に説明の便宜上、フランジ部４５から第１ファン固定板５０が取り外された分解状態が示されている。図４を参照して、第１ファン固定板５０および第２ファン固定板４０は、ファン４の送風口６０を互いに挟むように配置されている。なお、フランジ部４５を押圧する固定部は本実施の形態のように第１および第２ファン固定板５０，４０の二つに限られず、二つ以上の固定部によりフランジ部４５が押圧固定されてもよい。
【００２８】
図２および図３を参照して、バーナ３は箱状のバーナケース３１を有している。バーナケース３１は、ファン４が固定される上面３１ａと、上面３１ａに交差する側面３１ｂとを含んでいる。図５を参照して、バーナケース３１の内部にはバーナ本体３２が配置されており、バーナ本体３２においてポンプ１６（図２）により供給される液体燃料が燃焼される。
【００２９】
バーナケース３１には開口部３３が設けられている。ファン４はフランジ部４５においてバーナケース３１に固定されており、送風口６０が開口部３３と連通している。これにより、ファン４の送風口６０から供給される空気をバーナケース３１内に供給し、バーナ本体３２において燃焼ガスを発生させることができる。
【００３０】
次に、ファン固定板を用いたファン４のバーナ３への固定方式の詳細について、図６および図７を参照して説明する。図６ではフランジ部４５から第１ファン固定板５０が取り外されており、図７ではフランジ部４５上に第１ファン固定板５０が取り付けられている。
【００３１】
図６を参照して、フランジ部４５は、バーナケース３１の上面３１ａと当接する当接部４４と、当接部４４から突出するように形成された突起部４６（凸部，他方の係合部）とを含んでいる。突起部４６は、図６に示すように当接部４４に対して斜め起立しており、上面３１ａとの間に間隔を有している。図７を参照して、第１ファン固定板５０は、孔部５４（凹部，一方の係合部）を含んでおり、孔部５４はフランジ部４５に設けられた突起部４６が挿入可能となっている。孔部５４は、突起部４６が挿入される方向から見て円形状を有している。突起部４６は先端部から中間部までが孔部５４内に挿入されており、上側端部において孔部５４の内周部と接触している。これによりファン４と第１ファン固定板５０とが互いに固定され、その結果ファン４がバーナ３に対して固定される。
【００３２】
また本実施の形態では、第１ファン固定板５０が凹部および凸部の一方の係合部として孔部５４（凹部）を有し、かつファン４が他方の係合部として突起部４６を有する場合について説明したが、これに限定されない。すなわち、第１ファン固定板５０が突起部を有し、かつファン４が孔部を有する構成であってもよい。
【００３３】
また本実施の形態では、第１ファン固定板５０に孔部５４が形成される場合について説明したが、第２ファン固定板４０にも同様に孔部が形成され、ファン４において当該孔部に挿入される別の突起部が設けられていてもよい。
【００３４】
また本実施の形態では、ファン４のフランジ部４５に突起部４６が設けられる場合について説明したが、ファン４の他の箇所に当該突起部４６が設けられてもよい。また本実施の形態では、ファン４と第１ファン固定板５０とが突起部４６と孔部５４との嵌合により固定される場合について説明したがこれに限定されず、凹部および凸部の一方の係合部と他方の係合部とが嵌合する構成であれば種々の変更が可能である。
【００３５】
次に、フランジ部４５の詳細な構造について、図８および図９を参照しつつ説明する。図８を参照して、突起部４６は、当接部４４との接続部から離れるに従い幅が小さくなるように形成されている。すなわち、突起部４６は、当接部４４との接続部における幅Ｗ２よりも先端の幅Ｗ１が小さくなっている。図９を参照して、突起部４６は当接部４４に対して傾斜角θを成すように形成されている。傾斜角θはたとえば２５°である。
【００３６】
以上のように、本実施の形態に係る燃焼装置１では、第１および第２ファン固定板５０，４０がファン４のフランジ部４５をバーナ３に当接させるように押圧することでファン４がバーナ３に固定される。そのため、ネジなどの連結部材を介してファン４がバーナ３に対して直接固定される場合と異なり、第１および第２ファン固定板５０，４０のいずれかを取り外すことでファン４をバーナ３から取り外すことができる。また、第１および第２ファン固定板５０，４０は互いに送風口６０を挟む位置に配置されているため、送風口６０を挟んだいずれの側からもファン４をバーナ３から取り外すことができる。このため、メンテナンス方向の自由度をより広げることができる。たとえば、屋外用機器の場合には第１ファン固定板５０を取り外し、また屋内用機器の場合には第２ファン固定板４０を取り外すことでファン４をバーナ３から取り外すことができる。また第１ファン固定板５０とファン４とは、突起部４６と孔部５４との嵌合により互いに固定されるため、ファン４をバーナ３に対してより確実に位置決めすることができる。このように本実施の形態に係る燃焼装置１は、よりメンテナンス性に優れた燃焼装置となっている。
【００３７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３８】
本発明の燃焼装置は、メンテナンス性の向上が要求される燃焼装置において、特に有利に適用され得る。
【符号の説明】
【００３９】
１  燃焼装置、２  筺体、３  バーナ、４  ファン、５  一次熱交換器、６  二次熱交換器、７  排気集合筒、８  消音器、９  中和器、１０  配管、１１  給水配管、１１ａ  入水口、１２  給湯配管、１２ａ  出湯口、１３  トレー、１６  ポンプ、３１  バーナケース、３１ａ  上面、３１ｂ  側面、３２  バーナ本体、３３  開口部、４０  第２ファン固定板、５０  第１ファン固定板、４１，５１  押圧片、４２，５２  固定片、４３，５３  ネジ、４４  当接部、４５  フランジ部、４６  突起部、５４  孔部、６０  送風口。
【図１】
2015183879.tif 000003
【図２】
2015183879.tif 000004
【図３】
2015183879.tif 000005
【図４】
2015183879.tif 000006
【図５】
2015183879.tif 000007
【図６】
2015183879.tif 000008
【図７】
2015183879.tif 000009
【図８】
2015183879.tif 000010
【図９】
2015183879.tif 000011